(57)【要約】【課題】複数のユーザが、互いに共有していない複数の表示データが格納されたタッチパネル装置１０を持ち寄り、それぞれの表示データを提示しつつ、コミュニケーションをとるためのマルチディスプレイシステムを提供する。【解決手段】タッチパネル装置１０により構成されるマルチディスプレイシステムでは、各タッチパネル装置１０が、近接無線通信インターフェイスにより他のタッチパネル装置１０が所定の距離以内に近接していると判断される場合において、ユーザからの指示による移動処理により表示オブジェクトＡＡ０３が所定の境界３０１を越えたときに、表示オブジェクトが、他のタッチパネル装置１０のディスプレイ画面から自身のディスプレイ画面にまたがって存在するように画面上の表示座標データを変換して、画像データを他のタッチパネル装置１０に転送する。【選択図】図１４
2012185297.tif 000002
【特許請求の範囲】
【請求項１】
複数の情報処理端末装置を備えるマルチディスプレイシステムであって、
前記複数の情報処理端末装置の各々は、
ユーザからの指示を受け付けるための入力インタフェースと、
他の情報処理端末装置とデータ通信するための近接無線通信インターフェイスと、
オブジェクトを表示するための画像データを格納するための記憶装置と、
前記オブジェクトを表示するためのディスプレイ画面とを備え、
前記ディスプレイ画面の表示領域は、前記他の情報処理端末装置が所定の距離の範囲内に存在するか否かに関わらず、前記オブジェクトの表示処理を実行する前記表示領域の内部の領域である独立表示領域を含み、
プロセッサをさらに備え、
前記プロセッサは、
前記近接無線通信インターフェイスにより前記他の情報処理端末装置が前記所定の距離以内に近接していると判断される場合において、前記ユーザからの指示による移動処理により前記オブジェクトが前記独立表示領域の境界を越えたときに、前記画像データのうち前記オブジェクトを表示するための画面上の表示座標データを、前記オブジェクトが、前記他の情報処理端末装置のディスプレイ画面から自身のディスプレイ画面にまたがって存在するように表示することに対応して、当該他の情報処理端末装置における表示座標に変換して、前記画像データを前記前記他の情報処理端末装置に転送する、マルチディスプレイシステム。
【請求項２】
前記画像データは、表示するオブジェクトの内容を示す内容データと、当該オブジェクトを識別するための固有情報と、当該オブジェクトの表示される範囲を示す表示範囲情報とを含み、
前記情報処理端末装置のプロセッサは、前記他の情報処理端末装置から転送された前記画像データの前記固有情報により、当該転送された画像データがすでに転送済みのオブジェクトであるか否かを判断し、
前記他の情報処理端末装置から転送された前記画像データが転送済みのオブジェクトである場合に、当該オブジェクトが現在の表示位置より移動されているときには、自身が表示する当該オブジェクトの表示位置を変更する、請求項１記載のマルチディスプレイシステム。
【請求項３】
前記他の情報処理端末装置から転送された前記画像データが転送済みのオブジェクトである場合に、当該オブジェクトが現在のサイズより変更されているときには、自身が表示する当該オブジェクトのサイズを変更する、請求項２記載のマルチディスプレイシステム。
【請求項４】
前記他の情報処理端末装置から転送された前記画像データが転送済みのオブジェクトである場合に、当該オブジェクトの表示位置およびサイズが現在の表示位置およびサイズより変更されているときには、自身が表示する当該オブジェクトの表示位置およびサイズを当該変更された表示位置およびサイズまで複数の段階を経て変更する、請求項３記載のマルチディスプレイシステム。
【請求項５】
複数のディスプレイ画面によりなるマルチディスプレイシステムを構成可能な情報処理端末装置であって、
ユーザからの指示を受け付けるための入力インタフェースと、
前記マルチディスプレイシステムを構成可能な他の情報処理端末装置とデータ通信するための近接無線通信インターフェイスと、
オブジェクトを表示するための画像データを格納するための記憶装置と、
前記オブジェクトを表示するためのディスプレイ画面であって、前記マルチディスプレイシステムを構成するためのディスプレイ画面とを備え、
前記ディスプレイ画面の表示領域は、前記他の情報処理端末装置が所定の距離の範囲内に存在するか否かに関わらず、前記オブジェクトの表示処理を実行する前記表示領域の内部の領域である独立表示領域を含み、
プロセッサをさらに備え、
前記プロセッサは、
前記近接無線通信インターフェイスにより前記他の情報処理端末装置が前記所定の距離以内に近接していると判断される場合において、前記ユーザからの指示による移動処理により前記オブジェクトが前記独立表示領域の境界を越えたときに、前記画像データのうち前記オブジェクトを表示するための画面上の表示座標データを、前記オブジェクトが、前記他の情報処理端末装置のディスプレイ画面から自身のディスプレイ画面にまたがって存在するように表示することに対応して、当該他の情報処理端末装置における表示座標に変換して、前記画像データを前記前記他の情報処理端末装置に転送する、情報処理端末装置。
【請求項６】
複数のディスプレイ画面によりなるマルチディスプレイシステムを構成可能な情報処理端末装置の情報処理方法であって、
前記情報処理端末装置は、前記マルチディスプレイシステムを構成可能な他の情報処理端末装置とデータ通信するための近接無線通信インターフェイスと、オブジェクトを表示するための画像データを格納するための記憶装置と、前記オブジェクトを表示するためのディスプレイ画面であって、前記マルチディスプレイシステムを構成するためのディスプレイ画面と、プロセッサとを備え、
前記ディスプレイ画面の表示領域が、前記他の情報処理端末装置が所定の距離の範囲内に存在するか否かに関わらず、前記オブジェクトの表示処理を実行する前記表示領域の内部の領域である独立表示領域を含むとき、
前記プロセッサが、前記近接無線通信インターフェイスにより前記他の情報処理端末装置が前記所定の距離以内に近接しているか否かを判断するステップと、
前記プロセッサが、前記他の情報処理端末装置が前記所定の距離以内に近接している場合において、前記ユーザからの指示による移動処理により前記オブジェクトが前記独立表示領域の境界を越えたか否かを判断するステップと、
前記プロセッサが、前記境界を越えたときに、前記画像データのうち前記オブジェクトを表示するための画面上の表示座標データを、前記オブジェクトが、前記他の情報処理端末装置のディスプレイ画面から自身のディスプレイ画面にまたがって存在するように表示することに対応して、当該他の情報処理端末装置における表示座標に変換するステップと、
前記プロセッサが、前記変換された画像データを前記前記他の情報処理端末装置に転送するステップと、を実行する、情報処理方法。
【請求項７】
複数のディスプレイ画面によりなるマルチディスプレイシステムを構成可能な情報処理端末装置のプロセッサに情報処理を実行させるためのコンピュータプログラムであって、
前記情報処理端末装置は、前記マルチディスプレイシステムを構成可能な他の情報処理端末装置とデータ通信するための近接無線通信インターフェイスと、オブジェクトを表示するための画像データを格納するための記憶装置と、前記オブジェクトを表示するためのディスプレイ画面であって、前記マルチディスプレイシステムを構成するためのディスプレイ画面とを備え、
前記ディスプレイ画面の表示領域が、前記他の情報処理端末装置が所定の距離の範囲内に存在するか否かに関わらず、前記オブジェクトの表示処理を実行する前記表示領域の内部の領域である独立表示領域を含むとき、
前記プロセッサが、前記近接無線通信インターフェイスにより前記他の情報処理端末装置が前記所定の距離以内に近接しているか否かを判断するステップと、
前記プロセッサが、前記他の情報処理端末装置が前記所定の距離以内に近接している場合において、前記ユーザからの指示による移動処理により前記オブジェクトが前記独立表示領域の境界を越えたか否かを判断するステップと、
前記プロセッサが、前記境界を越えたときに、前記画像データのうち前記オブジェクトを表示するための画面上の表示座標データを、前記オブジェクトが、前記他の情報処理端末装置のディスプレイ画面から自身のディスプレイ画面にまたがって存在するように表示することに対応して、当該他の情報処理端末装置における表示座標に変換するステップと、
前記プロセッサが、前記変換された画像データを前記前記他の情報処理端末装置に転送するステップと、を情報処理端末装置に実行させる、コンピュータプログラム。
【発明の詳細な説明】
【技術分野】
【０００１】
本発明は、マルチディスプレイシステム、情報処理端末装置、情報処理方法及びコンピュータプログラムに関する。より特定的には、単体で動作可能なディスプレイを複数個組み合わせた構成において、画像表示を実現可能としたマルチディスプレイシステム、情報処理端末装置、情報処理方法及びコンピュータプログラムに関する。
【背景技術】
【０００２】
情報を処理して表示する装置として、いわゆるタッチパネルと呼ばれる情報端末が実現されている。このタッチパネルは、スキャナで入力した画像やコンピュータで作成した画像をディスプレイに表示する機能と、そのディスプレイと一体化したタッチパネルを利用して画像を移動、変形したり、画像上に手書き書き込みできる機能とを有している。
【０００３】
紙に印刷するかわりにタッチパネルに画像を格納して携帯すれば、紙の使用量を削減することができる。
【０００４】
しかしながら、タッチパネルと紙を比較した場合、使い勝手の面で紙のほうが優れている点も多い。
【０００５】
図１５および図１６は、紙に印刷して資料を利用する態様とタッチパネルを利用する態様を比較して説明するための概念図である。
【０００６】
例えば、図１５（ａ）に示すように、複数の紙に印刷した資料は、横に並べて同時に見ることができる。これに対して、タッチパネルの場合、図１５（ｂ）のようにディスプレイ画面を分割して複数の画像を並べて見ることができるが、それぞれの画面は小さくなり、見づらいものになってしまう。
【０００７】
また、図１６（ａ）のように大きな紙に印刷した場合、図１６（ｂ）のように、この紙を折りたたんで携帯することもできる。これに対して、図１６（ｃ）のようにタッチパネルの画面よりも大きなサイズの画像全体を表示しようとすると、縮小表示するしかない。
【０００８】
図１７は、上述したようなタッチパネルにおける画像の閲覧性についての問題点を解決する一つの方法を示す概念図である。
【０００９】
図１７に示すように、複数の表示対象の画像がある場合に、タッチパネルにおける閲覧性を改善するためには、複数のタッチパネルを用いて、マルチディスプレイを構成する方法が考えられる。
【００１０】
特許文献１には、単体で動作可能なディスプレイを複数個組み合わせた構成において、各ディスプレイに４方向インタフェースを設けたマルチディスプレイ装置が開示されている。このマルチディスプレイ装置は、インタフェースを介した信号転送を実行することによる構成認識、および各種態様での画像表示を実現可能としている。当該マルチディスプレイ装置を用いることで、各ディスプレイに共通に配信された画像を元に、様々な画像表示配置構成に対応した画像表示が可能となる。特許文献１に記載の発明は、複数のディスプレイに「共通に配信された画像」を、複数のディスプレイを用いて表示するマルチディスプレイを実現したものである。
【先行技術文献】
【特許文献】
【００１１】
【特許文献１】特開２００３−２８０６２４号公報
【発明の概要】
【発明が解決しようとする課題】
【００１２】
特許文献１には、複数のディスプレイを組み合わせてマルチディスプレイにする仕組みが述べられている。しかし、特許文献１では、マルチディスプレイに表示する画像は、無線のような共通インタフェースを用いて、全部のディスプレイに配信しておくことが前提である。この方法では、マルチディスプレイに表示できる画像は、無線のような共通インタフェースで伝送される１つの画像に限られてしまう。
【００１３】
したがって、特許文献１に記載されたようなマルチディスプレイでは、たとえば、図１７に示すように、複数のタッチパネルを持ち寄って資料を、交換し、互いのディスプレイを利用してマルチディスプレイを構成して資料の内容を比較検討するといったことができなかった。
【００１４】
本発明は、上記のような問題点を解決するためになされたものであって、その目的は、複数のユーザが、互いに共有していない複数の表示データが格納された情報処理端末装置を持ち寄り、それぞれの表示データを提示しつつ、コミュニケーションをとるためのマルチディスプレイシステム、情報処理端末装置、情報処理方法及びコンピュータプログラムを提供することである。
【課題を解決するための手段】
【００１５】
この発明の１つの局面に従うと、複数の情報処理端末装置を備えるマルチディスプレイシステムであって、複数の情報処理端末装置の各々は、ユーザからの指示を受け付けるための入力インタフェースと、他の情報処理端末装置とデータ通信するための近接無線通信インターフェイスと、オブジェクトを表示するための画像データを格納するための記憶装置と、オブジェクトを表示するためのディスプレイ画面とを備え、ディスプレイ画面の表示領域は、他の情報処理端末装置が所定の距離の範囲内に存在するか否かに関わらず、オブジェクトの表示処理を実行する表示領域の内部の領域である独立表示領域を含み、プロセッサをさらに備え、プロセッサは、近接無線通信インターフェイスにより他の情報処理端末装置が所定の距離以内に近接していると判断される場合において、ユーザからの指示による移動処理によりオブジェクトが独立表示領域の境界を越えたときに、画像データのうちオブジェクトを表示するための画面上の表示座標データを、オブジェクトが、他の情報処理端末装置のディスプレイ画面から自身のディスプレイ画面にまたがって存在するように表示することに対応して、当該他の情報処理端末装置における表示座標に変換して、画像データを他の情報処理端末装置に転送する、マルチディスプレイシステム。
【００１６】
好ましくは、画像データは、表示するオブジェクトの内容を示す内容データと、当該オブジェクトを識別するための固有情報と、当該オブジェクトの表示される範囲を示す表示範囲情報とを含み、情報処理端末装置のプロセッサは、他の情報処理端末装置から転送された画像データの固有情報により、当該転送された画像データがすでに転送済みのオブジェクトであるか否かを判断し、他の情報処理端末装置から転送された画像データが転送済みのオブジェクトである場合に、当該オブジェクトが現在の表示位置より移動されているときには、自身が表示する当該オブジェクトの表示位置を変更する。
【００１７】
好ましくは、他の情報処理端末装置から転送された画像データが転送済みのオブジェクトである場合に、当該オブジェクトが現在のサイズより変更されているときには、自身が表示する当該オブジェクトのサイズを変更する。
【００１８】
好ましくは、他の情報処理端末装置から転送された画像データが転送済みのオブジェクトである場合に、当該オブジェクトの表示位置およびサイズが現在の表示位置およびサイズより変更されているときには、自身が表示する当該オブジェクトの表示位置およびサイズを当該変更された表示位置およびサイズまで複数の段階を経て変更する。
【００１９】
この発明の他の局面に従うと、複数のディスプレイ画面によりなるマルチディスプレイシステムを構成可能な情報処理端末装置であって、ユーザからの指示を受け付けるための入力インタフェースと、マルチディスプレイシステムを構成可能な他の情報処理端末装置とデータ通信するための近接無線通信インターフェイスと、オブジェクトを表示するための画像データを格納するための記憶装置と、オブジェクトを表示するためのディスプレイ画面であって、マルチディスプレイシステムを構成するためのディスプレイ画面とを備え、ディスプレイ画面の表示領域は、他の情報処理端末装置が所定の距離の範囲内に存在するか否かに関わらず、オブジェクトの表示処理を実行する表示領域の内部の領域である独立表示領域を含み、プロセッサをさらに備え、プロセッサは、近接無線通信インターフェイスにより他の情報処理端末装置が所定の距離以内に近接していると判断される場合において、ユーザからの指示による移動処理によりオブジェクトが独立表示領域の境界を越えたときに、画像データのうちオブジェクトを表示するための画面上の表示座標データを、オブジェクトが、他の情報処理端末装置のディスプレイ画面から自身のディスプレイ画面にまたがって存在するように表示することに対応して、当該他の情報処理端末装置における表示座標に変換して、画像データを他の情報処理端末装置に転送する。
【００２０】
この発明のさらに他の局面に従うと、複数のディスプレイ画面によりなるマルチディスプレイシステムを構成可能な情報処理端末装置の情報処理方法であって、情報処理端末装置は、マルチディスプレイシステムを構成可能な他の情報処理端末装置とデータ通信するための近接無線通信インターフェイスと、オブジェクトを表示するための画像データを格納するための記憶装置と、オブジェクトを表示するためのディスプレイ画面であって、マルチディスプレイシステムを構成するためのディスプレイ画面と、プロセッサとを備え、ディスプレイ画面の表示領域が、他の情報処理端末装置が所定の距離の範囲内に存在するか否かに関わらず、オブジェクトの表示処理を実行する表示領域の内部の領域である独立表示領域を含むとき、プロセッサが、近接無線通信インターフェイスにより他の情報処理端末装置が所定の距離以内に近接しているか否かを判断するステップと、プロセッサが、他の情報処理端末装置が所定の距離以内に近接している場合において、ユーザからの指示による移動処理によりオブジェクトが独立表示領域の境界を越えたか否かを判断するステップと、プロセッサが、境界を越えたときに、画像データのうちオブジェクトを表示するための画面上の表示座標データを、オブジェクトが、他の情報処理端末装置のディスプレイ画面から自身のディスプレイ画面にまたがって存在するように表示することに対応して、当該他の情報処理端末装置における表示座標に変換するステップと、プロセッサが、変換された画像データを他の情報処理端末装置に転送するステップと、を実行する。
【００２１】
この発明のさらに他の局面に従うと、複数のディスプレイ画面によりなるマルチディスプレイシステムを構成可能な情報処理端末装置のプロセッサに情報処理を実行させるためのコンピュータプログラムであって、情報処理端末装置は、マルチディスプレイシステムを構成可能な他の情報処理端末装置とデータ通信するための近接無線通信インターフェイスと、オブジェクトを表示するための画像データを格納するための記憶装置と、オブジェクトを表示するためのディスプレイ画面であって、マルチディスプレイシステムを構成するためのディスプレイ画面とを備え、ディスプレイ画面の表示領域が、他の情報処理端末装置が所定の距離の範囲内に存在するか否かに関わらず、オブジェクトの表示処理を実行する表示領域の内部の領域である独立表示領域を含むとき、プロセッサが、近接無線通信インターフェイスにより他の情報処理端末装置が所定の距離以内に近接しているか否かを判断するステップと、プロセッサが、他の情報処理端末装置が所定の距離以内に近接している場合において、ユーザからの指示による移動処理によりオブジェクトが独立表示領域の境界を越えたか否かを判断するステップと、プロセッサが、境界を越えたときに、画像データのうちオブジェクトを表示するための画面上の表示座標データを、オブジェクトが、他の情報処理端末装置のディスプレイ画面から自身のディスプレイ画面にまたがって存在するように表示することに対応して、当該他の情報処理端末装置における表示座標に変換するステップと、プロセッサが、変換された画像データを他の情報処理端末装置に転送するステップと、を情報処理端末装置に実行させる、コンピュータプログラム。
【００２２】
なお、好ましくは、ディスプレイ画面の互いの接触をやめると、離れたディスプレイ画面では、異なる表示位置、異なる表示倍率で表示する構成とすることができる。この場合は、画像の一部を拡大したり、別々の場所を複数のディスプレイ画面を利用して同時にみることができる。
【００２３】
あるいは、好ましくは、ディスプレイ画面を接触させたとき、同じ固有情報をもつオブジェクトがあれば、そのオブジェクトが共通の画像となるよう、位置、表示倍率がゆるやかに変化させるものの、選択状態にある画像の位置は変化させない、との構成とすることもできる。このような移動の仕組みにより、お互いが共通の画像を保有しているかどうかがユーザにわかりやすくなる。
【発明の効果】
【００２４】
本発明のマルチディスプレイシステム、情報処理端末装置、情報処理方法及びコンピュータプログラムによれば、異なるディスプレイ画面に格納された画像を、互いにディスプレイ画面を近接させ、いずれかディスプレイ画面上で画像を移動することにより、両方のディスプレイ画面を用いたマルチディスプレイを自動的に構成し、互いが保有していた画像をやりとりできる。
【００２５】
あるいは、本発明のマルチディスプレイシステム、情報処理端末装置、情報処理方法及びコンピュータプログラムによれば、あるディスプレイ画面に表示されている画像を移動させたり、または、表示倍率を変更した場合、近接したディスプレイ画面に同じ固有情報をもつ画像があれば、表示位置または表示倍率が同じように変更される。
【００２６】
あるいは、本発明のマルチディスプレイシステム、情報処理端末装置、情報処理方法及びコンピュータプログラムによれば、その場でマルチディスプレイを構成し、お互いのディスプレイを利用して、表示画面の拡大や、複数の資料の比較検討、お互いの画像データのやりとりができる。
【図面の簡単な説明】
【００２７】
【図１】本実施の形態における「マルチディスプレイシステム」の構成を模式的に示す構成図である。
【図２】本実施の形態のタッチパネルシステムを構成するタッチパネル装置１０の構成を示す機能ブロック図である。
【図３】ディスプレイ１１４に表示される画像データの構造およびその画像データがディスプレイ１１４に表示される態様を説明するための概念図である。
【図４】本実施の形態のタッチパネルシステムを構成するタッチパネル装置１０での処理手順の一例を示す第１のフローチャートである。
【図５】本実施の形態のタッチパネルシステムを構成するタッチパネル装置１０での処理手順の一例を示す第２のフローチャートである。
【図６】本実施の形態のタッチパネル装置１０の表示の処理例を説明するための概念図である。
【図７】本実施の形態のタッチパネル装置１０の表示の処理例を説明するための概念図である。
【図８】本実施の形態のタッチパネル装置１０の表示の処理例を説明するための概念図である。
【図９】本実施の形態のタッチパネル装置１０の表示の処理例を説明するための概念図である。
【図１０】本実施の形態のタッチパネル装置１０の表示の処理例を説明するための概念図である。
【図１１】本実施の形態のタッチパネル装置１０の表示の処理例を説明するための概念図である。
【図１２】本実施の形態のタッチパネル装置１０の表示の処理例を説明するための概念図である。
【図１３】本実施の形態のタッチパネル装置１０の表示の処理例を説明するための概念図である。
【図１４】このようなタッチパネル装置１０における境界線を説明するための概念図である。
【図１５】紙に印刷して資料を利用する態様とタッチパネルを利用する態様を比較して説明するための概念図である。
【図１６】紙に印刷して資料を利用する態様とタッチパネルを利用する態様を比較して説明するための概念図である。
【図１７】上述したようなタッチパネルにおける画像の閲覧性についての問題点を解決する一つの方法を示す概念図である。
【発明を実施するための形態】
【００２８】
以下、本発明をその実施の形態を示す図面に基づき具体的に説明する。
図１は、本実施の形態における「マルチディスプレイシステム」の構成を模式的に示す構成図である。
【００２９】
図１においては、マルチディスプレイシステムは、各々のディスプレイに表示処理を実行するための複数の情報処理端末装置から構成される。より特定的に言い換えると、マルチディスプレイシステムは、相互に接触するように配置された複数の携帯型ディスプレイ端末装置からなる端末装置システムである。
【００３０】
以下で説明するように、本件明細書において、「携帯型ディスプレイ端末装置」とは、以下のような特徴を有するものである。
【００３１】
ｉ）略直方体形状の筐体を有する装置であって、
ｉｉ）上記筐体の主面（上記直方体形状を形成する面のうち、最も面積の大きな面）にディスプレイが設けられ、
ｉｉｉ）上記ディスプレイに、携帯型ディスプレイ端末装置内の記憶装置に格納された表示データに対応する画像を表示可能な装置であって、
ｉｖ）他の携帯型ディスプレイ端末装置と上記主面の辺のうちのいずれかの辺を相互に接触させ、それぞれのディスプレイが略同一平面上に並ぶように配置したときに、組み合わされたディスプレイにおける表示が、単一の表示画面を形成していると視認可能なものである。より具体的には、上記主面におけるディスプレイの額縁部分の幅が、上記のように複数のディスプレイを組み合わせて配置した場合に、単一の表示画面を形成していると視認可能な程度に狭いものをいう。なお、「略直方体形状」は、平板形状でもよい。
【００３２】
「携帯型ディスプレイ端末装置」のディスプレイは、ユーザが指でタッチすることで、指示を入力することが可能なタッチパネルとすることができる。
【００３３】
「タッチパネル」とは、液晶パネルのような表示装置とタッチパッドのような位置入力装置を組み合わせた電子部品であり、画面上の表示を押すことで機器を操作する入力装置である。
【００３４】
以下では、本実施の形態のマルチディスプレイシステムを構成する携帯型ディスプレイ端末装置として、タッチパネルをディスプレイとして備えたタッチパネル装置を例にとって説明する。
【００３５】
したがって、図１では、マルチディスプレイシステムに対応するものとして、複数のタッチパネル装置から構成されるタッチパネルシステムの外観を示していることになる。
【００３６】
図１を参照して、９枚のタッチパネル装置１０を用いてタッチパネルシステムが構成されている。本実施の形態では、各タッチパネルの上下左右４方向に、近接無線通信インタフェース２ａ，２ｂ，２ｃ，２ｄが搭載されている。
【００３７】
「近接無線通信インタフェース」としては、特に限定されないが、たとえば、TransferJet仕様のインタフェースを用いることができる。TransferJet仕様のインタフェースの最も基本的な操作では、二つの機器を３ｃｍ程度の接続可能距離まで接近させることで自動的にデータ転送が行われる。
【００３８】
したがって、TransferJet仕様のインタフェースを用いれば、タッチパネル装置同士が、後述するようにマルチディスプレイシステムとして動作するための所定の接続可能距離まで接近したことの判断の処理と、データ通信が可能な通信可能距離まで接近した場合に、必要とされるデータ転送を実行する処理とが、同一のインタフェース装置により実行されることになる。すなわち、この場合は、通信可能距離が十分小さいために、接続可能距離と通信可能距離とが等しいものとして処理を行うことが可能である。
【００３９】
なお、上述したような接続可能距離までタッチパネル装置同士が接近したか否かを判断するための別個のセンサ、たとえば、電磁誘導の存在を検出する近接センサや光の送受信による近接センサを、無線データ通信のインタフェースと別個に設ける構成としておけば、このような無線データ通信のインタフェースとしては、たとえば、通信可能距離が接続可能距離よりも大きな通信規格である、Bluetooth（登録商標），ワイヤレスUSB（WUSB）などを用いることができる。つまり、この場合、たとえば、近接センサと無線データ通信のインタフェースとを合わせて、「近接無線通信インタフェース」と考えることができる。
【００４０】
したがって、この明細書では、TransferJet仕様のインタフェースに限られず、「近接無線通信インタフェース」とは、そのインターフェース装置を搭載する装置同士が、マルチディスプレイシステムとして動作するための所定の接続可能距離まで接近したことの判断の処理と、データ通信が可能な通信可能距離まで接近している場合に、必要とされるデータ転送を実行する処理との双方を実行可能なインタフェース装置のことをいうものとする。
【００４１】
図２は、本実施の形態のタッチパネルシステムを構成するタッチパネル装置１０の構成を示す機能ブロック図である。
【００４２】
タッチパネルシステムを構成するタッチパネル装置１０は、パーソナルコンピュータとしての機能を有しており、制御部１００と、一時記憶部１０１と、記憶部１０２と、入力処理部１０３と、表示処理部１０４と、通信処理部２０１、２０２、２０３、２０４を備える。なお、タッチパネル装置１０は、具体的には、平板状の外形を備えタッチパネル式などの表示／入力部を持った携帯可能なタブレット型パーソナルコンピュータでもよい。タッチパネル装置１０は、さらに、タッチパッド１１３と、ディスプレイ１１４を備える。
【００４３】
制御部１００は、ＣＰＵ（Central Processing Unit）で構成され、記憶部１０２に記憶されているタッチパネル用プログラム１Ｐを一時記憶部１０１に読み出して実行することにより、タッチパネル装置１０を、情報処理端末装置として動作させる。
【００４４】
記憶部１０２は、ハードディスク、またはＳＳＤ（Solid State Drive）などの不揮発性の記憶装置を用いる。記憶部１０２には、タッチパネル用プログラム１Ｐが記憶されている。記憶部１０２は、他に、タッチパネル装置１０における他のアプリケーションソフトウェアプログラムが記憶されていてもよい。
【００４５】
一時記憶部１０１は、ＳＲＡＭ（Static Random Access Memory）、ＤＲＡＭ（Dynamic Random Access Memory）などの揮発性記憶装置で構成される。一時記憶部１０１には、上述のように読み出されるタッチパネル用プログラム１Ｐが記憶されると共に、制御部１００の記憶ワークエリアとして機能し、制御部１００の処理によって発生する情報が記憶される。
【００４６】
入力処理部１０３には、タッチパネル装置１０は、ペン１３０またはユーザの指による入力を受け付けるタッチパッド１１３が接続される。入力処理部１０３は、タッチパネル装置１０のユーザの操作により入力されるボタンの押下情報、画面中の位置を示す座標情報などの情報を受け付け、制御部１００へ通知する。
【００４７】
表示処理部１０４には、液晶ディスプレイなどを用いるディスプレイ１１４が接続されている。制御部１００は、表示処理部１０４を介し、ディスプレイ１１４にタッチパネル用のアプリケーション画面を出力し、アプリケーション画面内に共有させる画像を表示させる。表示処理部１０４には、たとえば、ＶＲＡＭ（Video RAM）や、グラフィックス・プロセッシング・ユニットＧＰＵなどが含まれる。なお、ＧＰＵとしては、オンボードのグラフィックスチップであってもよい。
【００４８】
なお、特に限定されないが、ＶＲＡＭの記憶領域は、ディスプレイ１１４の表示領域よりも広い領域に対応しており、ＶＲＡＭの記憶領域の所定範囲に存在するデータに対応する画像がディスプレイ１１４に表示されるとしてもよい。この場合、表示処理部１０４は、ディスプレイ１１４の表示領域よりも広い領域を描画領域として、ＶＲＡＭを使用するため、表示領域をはみ出した図形（オブジェクト）についても、ＣＰＵからの指示にしたがって描画処理を行うものの、ディスプレイ１１４には、当該図形が所定範囲に入るまで表示自体はされない、という構成とすることも可能である。
【００４９】
通信処理部２０１、２０２、２０３、２０４には、近接無線通信を行うためのアンテナ２０１ａ、２０２ａ、２０３ａ、２０４ａが接続されており、上下左右４方向に接触した他のタッチパネルと送受信する情報のパケット化、パケットからの情報の読み取りなどを行なう。通信処理部２０１およびアンテナ２０１ａが、近接無線通信インタフェース２ａに対応し、通信処理部２０２およびアンテナ２０２ａが、近接無線通信インタフェース２ｂに対応し、通信処理部２０３およびアンテナ２０３ａが、近接無線通信インタフェース２ｃに対応し、通信処理部２０４およびアンテナ２０４ａが、近接無線通信インタフェース２ｄに対応する。
【００５０】
なお、本実施の形態のタッチパネルシステムを実現するために、通信処理部２０１、２０２、２０３、２０４による画像、音声を送受信するための通信プロトコルは、ＴｒａｎｓｆｅｒＪｅｔなどのプロトコルを用いればよい。ただし、通信プロトコルはこれらに限られない。
【００５１】
図３は、ディスプレイ１１４に表示される画像データの構造およびその画像データがディスプレイ１１４に表示される態様を説明するための概念図である。
【００５２】
まず、図３（ｂ）は、ユーザが用いるタッチパネル装置１０のディスプレイ１１４に表示されるタッチパネル装置用アプリケーションのメイン画面４００の一例を示す説明図である。
【００５３】
タッチパネル装置用アプリケーションのメイン画面４００は、複数の画像を重ねて表示している。一例として、図３に示す例では、写真ＡＡ０１、テキスト文書ＡＡ０２、ビデオ映像ＡＡ０３が表示されている。
【００５４】
本明細書では、これらの写真ＡＡ０１、テキスト文書ＡＡ０２、ビデオ映像ＡＡ０３のように、表示処理の単位となるデータを「オブジェクト」と呼ぶ。オブジェクトは、ユーザの指示により、表示画面上で一体として、移動や編集が可能な単位である。
【００５５】
図３（ｂ）では、ビデオ映像ＡＡ０３の縁に太い選択枠３００が表示されているが、これは、ビデオ映像が選択されていることを示している。選択する操作は、ユーザが、ペン１３０又はマウスなどを用い、ディスプレイ１１４上をクリックするなどの操作で行う。また選択枠３００の枠の内部をドラッグすることで、選択されたデータを移動することができる。また、選択枠の縁をドラッグすることで、選択されたデータを拡大したり縮小したりすることができる。
【００５６】
図３（ａ）は、図３（ｂ）に表示された内容（オブジェクト）を記載した表示リストである。最初の列は、各オブジェクト固有のＩＤが記録されている。第２列にはデータの種類が記録されている。第３列には、データの内容が記録されている。第４列にはこれらの表示データが処理されたかどうかを示す未処理フラグが記録されている。第５列にはこれらの表示データが選択されているかどうかを示す選択フラグが記録されている。これら表示リストのデータをどのように処理するかはフローチャートを参照して説明する。
【００５７】
図４は、本実施の形態のタッチパネルシステムを構成するタッチパネル装置１０での処理手順の一例を示す第１のフローチャートであり、図５は、第２のフローチャートである。
【００５８】
図４および図５を参照して、制御部１００は、メイン画面４００をディスプレイ１１４に表示させた状態で、以下のような処理を行なう。
【００５９】
まず、制御部１００は初期的に、画面に表示するオブジェクトを記載した表示リストの各オブジェクトの未処理フラグをすべてＯＮに設定する（ステップＳ１０１）。なお、後に説明するように、未処理フラグは、他のタッチパネル装置へのデータ転送処理が必要かどうか判断し、転送処理が終了した段階（ステップＳ１５０）でＯＦＦにされる。また、図形の移動・変形が行われたり（ステップＳ１０６）、転送リストのデータとの比較により修正が行われたとき（ステップＳ１７１）にＯＮにされる。
【００６０】
続いて、制御部１００は、イベント通知を受けとるための待機状態となる（ステップＳ１０２）。ここで、「イベント」は、ユーザインタフェースに何らかの操作が加えられた場合に発生するほか、タッチパネル装置１０で実行されるアプリケーションプログラムの実行とは独立に、たとえば、所定の時間間隔で発生する。
【００６１】
制御部１００は、受け付けたイベントが、データの選択であるか否かを判断する（ステップＳ１０３）。制御部１００は、データの選択であると判断した場合（Ｓ１０３：ＹＥＳ）、画面に表示しているデータを格納した表示リストの中で、選択が行われたオブジェクトの選択フラグをＯＮにし、選択がはずれたオブジェクトの選択フラグをＯＦＦにする（ステップＳ１０４）。これに応じて、表示処理部１０４は、選択されたオブジェクトを選択状態の表示態様（たとえば、枠線を太くする等）に変更する。制御部１００は、処理をステップＳ１０２へ戻して次のイベント通知を受け取る待機状態となる。
【００６２】
制御部１００は、受け付けたイベントがデータの選択でないと判断した場合（Ｓ１０３：ＮＯ）、受け付けたイベントがデータの移動もしくは変形であるか否かを判断する（ステップＳ１０５）。制御部１００は、受け付けたイベントがデータの移動もしくは変形であると判断した場合（Ｓ１０５：ＹＥＳ）、移動・変形を行ったオブジェクトの座標などの情報を移動・変形後の内容に書き換える。さらに書き換えたオブジェクトの未処理フラグをＯＮにする（ステップＳ１０６）。制御部１００は処理をステップＳ１０２へ戻して次のイベント通知を受け取る待機状態となる。
【００６３】
制御部１００は、データの移動・変形でないと判断した場合（Ｓ１０５：ＮＯ）、他のタッチパネルとのデータ転送の処理に移る。制御部１００は、表示リストの中で未処理フラグがＯＮのデータがあるかどうかを判断する（ステップＳ１０７）。制御部１００は、未処理フラグがＯＮのデータがあると判断した場合（Ｓ１０７：ＹＥＳ）、未処理のデータをデータＧＡとし（ステップＳ１０８）、データＧＡを他のタッチパネルに転送する必要があるかどうか判断する。
【００６４】
すなわち、まず、ステップ１１０で右側にタッチパネルが接触しているか判断する。ステップ１２０で左側にタッチパネルが接触しているか判断する。ステップ１３０で上側にタッチパネルが接触しているか判断する。ステップ１４０で下側にタッチパネルが接触しているか判断する。
【００６５】
制御部１００は、右側にタッチパネルが接触していると判断した場合（Ｓ１１０：ＹＥＳ）、あらかじめ設定した右側の「移動処理の境界線」（以下、単に「境界線」と呼ぶ）と未処理データＧＡの外接矩形が接触しているかを判断する（ステップＳ１１１）。
【００６６】
ここで、「境界線」について説明する。図１４は、このようなタッチパネル装置１０における境界線を説明するための概念図である。
【００６７】
図１４を参照して、たとえば、図１４の点線３０１が右側の境界線である。すなわち、タッチパネル装置１０のディスプレイ１１４の表示領域の右端の辺から所定の距離だけ内側であって、この辺と平行な線が「右側の境界線」である。
【００６８】
なお、より一般的には、ディスプレイ１１４の表示領域の外周よりも、特定の距離だけ内側の線を外周とする領域を、後に説明するような他のタッチパネル装置１０へのオブジェクトの移動処理を考慮することなく表示処理が行われる領域という意味で、「独立表示領域」と呼ぶことにすると、この独立表示領域の外周線が、境界線であるといってもよい。ディスプレイ１１４の表示領域が矩形の場合、独立表示領域も矩形となり、境界線は、矩形の４辺となる。それぞれの辺は、ディスプレイ１１４の表示領域の平行な辺と、同一の距離だけ離れているとしてもよいし、４辺のそれぞれが、異なる距離だけ離れているとしてもよく、どれだけの距離だけ離れるかは、４辺の各々で独立に設定してもよい。
【００６９】
制御部１００は、未処理データＧＡの外接矩形が境界線３０１に接触していると判断した場合（Ｓ１１１：ＹＥＳ）、未処理データＧＡのＸ座標をタッチパネルの表示範囲の横幅分だけ減じて、左側に移動させた値に修正してから、右側のタッチパネルに転送する。右側のタッチパネル装置は、転送されてきたデータを、右側のタッチパネルの転送リスト５０１に加える（ステップＳ１１２）。そのあとステップＳ１２０に処理を移す。図１４に示す例では、ビデオ映像ＡＡ０３が右側の境界線を超えているため、右側のタッチパネルの転送リスト５０１に、ビデオ映像ＡＡ０３のデータが転送されて追加される。
【００７０】
制御部１００は、右側にタッチパネルが接触していないと判断した場合（Ｓ１１０：ＮＯ）、もしくは、未処理データの外接矩形が境界線に接触していないと判断した場合（Ｓ１１１：ＮＯ）、ステップＳ１２０に処理を移す。
【００７１】
制御部１００は、左側にタッチパネルが接触していると判断した場合（Ｓ１２０：ＹＥＳ）、あらかじめ設定した左側の境界線と未処理データＧＡの外接矩形が接触しているかを判断する（ステップＳ１２１）。ここで、図１４の点線３０２が左側の境界線である。
【００７２】
制御部１００は、未処理データＧＡの外接矩形が境界線３０２に接触していると判断した場合（Ｓ１２１：ＹＥＳ）、未処理データＧＡのＸ座標をタッチパネルの表示範囲の横幅分だけ加え右側に移動させた値に修正してから、左側のタッチパネルに転送する。左側のタッチパネル装置は、転送されてきたデータを、左側のタッチパネルの転送リスト５０２に加える（ステップＳ１２２）。そのあとステップＳ１３０に処理を移す。図１４に示す例では、写真ＡＡ０１が左側の境界線を超えているため、左側のタッチパネルの転送リスト５０２に、写真ＡＡ０１のデータが転送され追加される。
【００７３】
制御部１００は、左側にタッチパネルが接触していないと判断した場合（Ｓ１２０：ＮＯ）、もしくは、未処理データＧＡの外接矩形が境界線に接触していないと判断した場合（Ｓ１２１：ＮＯ）、ステップＳ１３０に処理を移す。
【００７４】
制御部１００は、上側にタッチパネルが接触していると判断した場合（Ｓ１３０：ＹＥＳ）、あらかじめ設定した上側の境界線と未処理データＧＡの外接矩形が接触しているかを判断する（ステップＳ１３１）。ここで、図１４の点線３０３が上側の境界線である。
【００７５】
制御部１００は、未処理データＧＡの外接矩形が境界線３０３に接触していると判断した場合（Ｓ１３１：ＹＥＳ）、未処理データＧＡのＹ座標をタッチパネルの表示範囲の縦幅分だけ減じ下側に移動させた値に修正してから、上側のタッチパネルに転送する。上側のタッチパネル装置は、転送されてきたデータを、上側のタッチパネルの転送リスト５０３に加える（ステップＳ１３２）。そのあとステップＳ１４０に処理を移す。図１４に示す例では、写真ＡＡ０１が上側の境界線を超えているため、上側のタッチパネルの転送リスト５０３に、写真ＡＡ０１のデータが転送され追加される。
【００７６】
制御部１００は、上側にタッチパネルが接触していないと判断した場合（Ｓ１３０：ＮＯ）、もしくは、未処理データＧＡの外接矩形が境界線に接触していないと判断した場合（Ｓ１３１：ＮＯ）、ステップＳ１４０に処理を移す。
【００７７】
制御部１００は、下側にタッチパネルが接触していると判断した場合（Ｓ１４０：ＹＥＳ）、あらかじめ設定した下側の境界線と未処理データＧＡの外接矩形が接触しているかを判断する（ステップＳ１４１）。ここで、図１４の点線３０４が下側の境界線である。
【００７８】
制御部１００は、未処理データＧＡの外接矩形が境界線３０４に接触していると判断した場合（Ｓ１４１：ＹＥＳ）、未処理データＧＡのＹ座標をタッチパネルの表示範囲の縦幅分だけ加え上側に移動させた値に修正してから、下側のタッチパネルに転送する。下側のタッチパネル装置は、転送されてきたデータを、下側のタッチパネルの転送リスト（図１４には、対応するオブジェクトがないため図示せず）に加える（ステップＳ１４２）。そのあとステップＳ１５０に処理を移す。
【００７９】
制御部１００は、下側にタッチパネルが接触していないと判断した場合（Ｓ１４０：ＮＯ）、もしくは、未処理データＧＡの外接矩形が境界線に接触していないと判断した場合（Ｓ１４１：ＮＯ）、ステップＳ１５０に処理を移す。
【００８０】
制御部１００はステップＳ１５０において、データＧＡの未処理フラグをＯＦＦにし、処理をステップＳ１０２へ戻して次のイベント通知を受け取る待機状態となる。
【００８１】
制御部１００は、表示リスト中に未処理フラグがＯＮのデータがないと判断した場合（Ｓ１０７：ＮＯ）、図５のノードＰＡからステップＳ１６０に処理を移し、他のタッチパネルから送られてきたデータを記憶している自身の転送リストに処理していないデータがあるかを判断する（Ｓ１６０）。なお、このとき、転送リストの一番新しいデータから順番に処理していく。転送リストにデータがあると判断した場合（Ｓ１６０：ＹＥＳ）、転送リストの先頭のデータをデータＧＢとする（ステップＳ１６１）。
【００８２】
制御部１００は、転送リストの中にデータＧＢと同じＩＤをもつデータＧＣがあるか判断する（ステップＳ１６２）。ここで同じＩＤをもつ図形Ｃがある場合（Ｓ１６２：ＹＥＳ）、データＧＣを転送リストから削除し（ステップＳ１６３）、処理をステップＳ１６２に戻す。この処理を繰り返すことで、転送リストの中で、データＧＢと同じＩＤをもつデータは、最新のデータＧＢが１つだけ残ることになる。
【００８３】
制御部１００は、次にステップ１６４で、表示リストの中にデータＧＢと同じＩＤをもつデータＧＤがあるか判断する。ここで表示リストの中にデータＧＢと同じＩＤをもつデータがないと判断する場合（Ｓ１６４：ＮＯ）、データＧＢを表示リストに追加する（ステップＳ１６５）し、追加が終わったデータＧＢは、転送リストから削除する（ステップＳ１６６）。この処理により、それまで表示リストに存在しなかったＩＤをもつ図形が、転送リストから表示リストに追加されることになる。これに応じて、表示処理部１０４は、表示リストに追加されたデータＧＢに対応するオブジェクトを表示する処理を行う。その後、制御部１００は、図５のノードＰＢから図４の処理ステップＳ１０２に処理を戻す。
【００８４】
制御部１００は、ステップ１６４で、表示リストの中にデータＧＢと同じＩＤをもつデータＧＤがあると判断する場合（Ｓ１６４：ＹＥＳ）、表示リストの中のデータＧＤが選択フラグがＯＮになっているかどうか判断する（ステップＳ１６７）。データＧＤの選択フラグがＯＮになっている場合、すなわち選択されている場合（Ｓ１６７：ＹＥＳ）、データＧＢを転送リストから削除する（ステップＳ１６６）。
【００８５】
制御部１００は、表示リストの中にデータＧＢと同じＩＤをもつデータＧＤの選択フラグがＯＮでない場合、すなわち選択されていない場合（Ｓ１６７：ＮＯ）、ステップＳ１７０で、転送リストのデータＧＢと表示リストのデータＧＤの表示態様（表示位置、サイズ）が同じかどうかを判断する。データＧＢとデータＧＤの内容が同じと判断した場合（Ｓ１７０：ＹＥＳ）、データＧＢを、転送リストから削除し（ステップＳ１６６）、転送リストのデータＧＢの処理を終え、図５のノードＰＢから図４の処理ステップＳ１０２に処理を戻す。
【００８６】
制御部１００は、転送リストのデータＧＢと表示リストのデータＧＤの表示態様が異なると判断した場合（Ｓ１７０：ＮＯ）、データＧＢとデータＧＤの情報をＮ：１に内分した情報を作成し、データＧＤの情報を内分した情報に置き換える。ここで、「データＧＢとデータＧＤの情報をＮ：１に内分した情報」とは、データＧＢにより表示されるべきオブジェクトの表示位置およびサイズと現在においてデータＧＤにより表示されているオブジェクトの表示位置およびサイズとを所定の内分比率（Ｎ：１）で分配した画像データを意味する。そして、制御部１００は、データＧＤの未処理フラグをＯＮにする（ステップＳ１７１）。その後、データＧＢを転送リストの最後に移動させる（ステップＳ１６８）。この処理を行うことで、データＧＤは、データＧＢの位置、サイズに徐々に近づいていくことになる。
【００８７】
図６、図７、図８、図９、図１０、図１１、図１２、図１３は、本実施の形態のタッチパネル装置１０の表示の処理例を説明するための概念図である。
【００８８】
以下、図６〜図１３を用いて、本実施の形態の表示処理例を説明する。
まず、図６（ａ）は、写真ＡＡ０１がタッチパネルの中央に表示されている状態を示す。図６（ｂ）は、写真ＡＡ０１を選択し、右側に移動させた状態を示す。
【００８９】
一方で、図７は、図６（ｂ）のような状態となる際に、別のタッチパネルが右側に接触した状態である仮想的な場合を示す。図７の状態で写真ＡＡ０１は、右側の境界線３０１を越えているので、データが右側のタッチパネルに転送される。写真ＡＡ０１のデータが、そのまま右側のタッチパネルに転送されれば、左側のタッチパネルと同じ位置、すなわちＡＡ０１−２に配置されることになる。しかしながら、本実施の形態のタッチパネル装置では、図４のフローチャートステップＳ１１２の処理により、タッチパネルのＸ座標が表示幅だけ減じてから転送されるため、図８の写真ＡＡ０１’のように、２つのタッチパネルの絵が、一体であるかのような状態で表示される。
【００９０】
次に、図９は、右側のタッチパネル装置に転送された写真ＡＡ０１’を選択し、右側に移動させた例を示す。このとき、写真ＡＡ０１’は、左側の境界線３０２と接触しているが、左側のタッチパネル上の写真ＡＡ０１は選択されている。図５のフローチャートのステップＳ１６７の判断で、選択されている図形に対して転送リストのデータは無視される。この処理のため、左側のタッチパネルで写真を選択し、移動や変形操作を行おうとした時に、他のタッチパネル装置の操作の影響で、自分の意図に反して写真が勝手に移動するということを防ぐことができる。
【００９１】
図１０は、図９の状態から、写真ＡＡ０１’の選択を解除した状態を示す図であり、図１１は、図１０の状態からさらに、左側のタッチパネル装置の写真ＡＡ０１を拡大した場合である。このとき写真ＡＡ０１は右側の境界線３０１に接触しているため、データが右側のタッチパネルに転送される。その後、図５のフローチャートステップＳ１７１の処理により、写真ＡＡ０１’は、徐々に左側のタッチパネルの写真ＡＡ０１に接続するサイズに変化していく。
【００９２】
すなわち、図１１の状態から、次のイベントの処理の中では、図１２のような表示が、右側のタッチパネル装置に表示される。続いて、そのさらに次のイベントの処理の中では、図１３のような表示が、右側のタッチパネル装置に表示される。
【００９３】
つまり、複数のタッチパネル装置にまたがって表示されているオブジェクトについては、一方のタッチパネル装置のみで、このオブジェクトを選択状態とし、図形の移動や変形を行うと他方のタッチパネル装置でのこのオブジェクトの表示態様も、一方のタッチパネル装置の表示態様に応じて、徐々に変化することになる。
【００９４】
以上の説明から明らかとなるように、本実施の形態のタッチパネルシステムでは、異なるタッチパネルに格納された画像を、互いにタッチパネルを接触させ、いずれかのタッチパネル上で画像を移動・拡大することにより、両方のタッチパネルを用いたマルチディスプレイを自動的に構成し、画像を拡大表示したり、互いが保有していた画像をやりとりできる。
【００９５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９６】
１Ｐ  タッチパネル用プログラム、２ａ，２ｂ，２ｃ，２ｄ，２ａ，２ｂ，２ｃ，２ｄ  近接無線通信インタフェース、１０  タッチパネル装置、１００  制御部、１０１  一時記憶部、１０２  記憶部、１０３  入力処理部、１０４  表示処理部、１１３  タッチパッド、１１４  ディスプレイ、１３０  ペン、２０１，２０２，２０３，２０４  通信処理部、２０１ａ，２０２ａ，２０３ａ，２０４ａ  アンテナ、４００  メイン画面、５０１，５０２，５０３  転送リスト。
【図１】
2012185297.tif 000003
【図２】
2012185297.tif 000004
【図３】
2012185297.tif 000005
【図４】
2012185297.tif 000006
【図５】
2012185297.tif 000007
【図６】
2012185297.tif 000008
【図７】
2012185297.tif 000009
【図８】
2012185297.tif 000010
【図９】
2012185297.tif 000011
【図１０】
2012185297.tif 000012
【図１１】
2012185297.tif 000013
【図１２】
2012185297.tif 000014
【図１３】
2012185297.tif 000015
【図１４】
2012185297.tif 000016
【図１５】
2012185297.tif 000017
【図１６】
2012185297.tif 000018
【図１７】
2012185297.tif 000019